【手続補正書】
【提出日】平成23年6月21日(2011.6.21)
【手続補正１】
【補正対象書類名】特許請求の範囲
【補正対象項目名】全文
【補正方法】変更
【補正の内容】
【特許請求の範囲】
【請求項１】
スプールの円筒状胴部の中央部分に半導体用ボンディングワイヤとして使用するワイヤを巻き付けた本巻部分と、その本巻部分のワイヤの巻き終わり端部を前記スプールの円筒状胴部の端部分に巻き付けたアース部分と、そのアース部分から繰出されたワイヤの終端をスプールのフランジで固定された半導体用ボンディングワイヤの巻線形態において、
上記アース部分のワイヤの巻線構造は全体として第１巻回列のワイヤと第２巻回列のワイヤとからなる第１層の巻回構造をなし、当該第２巻回列のワイヤは離散した複数のワイヤであって、その各々のワイヤは両側がスプール胴部上に互いに密着整列して巻かれた第１巻回列の複数のワイヤと高密着整列して巻かれていることを特徴とする半導体用ボンディングワイヤの巻線形態。
【請求項２】
スプールの円筒状胴部の中央部分に半導体用ボンディングワイヤとして使用するワイヤを巻き付けた本巻部分と、その本巻部分のワイヤの巻き終わり端部を前記スプールの円筒状胴部の端部分に巻き付けたアース部分と、そのアース部分から繰出されたワイヤの終端をスプールのフランジで固定された半導体用ボンディングワイヤの巻線形態において、
上記アース部分のワイヤの巻線構造は全体として第１巻回列のワイヤと第２巻回列のワイヤとからなる第１層の巻回構造をなし、当該第１巻回列のワイヤはスプール胴部上に互いに密着整列して外側に向かって巻かれた主アース部分および内側に向かって巻かれた副アース部分とからなり、当該第２巻回列のワイヤは単数または離散した複数のワイヤであって、その各々のワイヤは両側が前記主アース部分の複数のワイヤと高密着整列して巻かれていることを特徴とする半導体用ボンディングワイヤの巻線形態。
【請求項３】
ボンディングワイヤが熱処理された金属細線であることを特徴とする請求項１または請求項２に記載の半導体用ボンディングワイヤの巻線形態。
【請求項４】
主アース部分に巻かれた第１巻回列のワイヤが本巻部分から遠ざかるように巻かれていることを特徴とする請求項１または請求項２に記載の半導体用ボンディングワイヤの巻線形態。
【請求項５】
主アース部分に巻かれた第２巻回列のワイヤがスプール胴部上に互いに密着整列して巻かれた第１巻回列の複数のワイヤ上から押し込まれて巻かれていることを特徴とする請求項１または請求項２に記載の半導体用ボンディングワイヤの巻線形態。
【請求項６】
副アース部分に巻かれた第1巻回列のワイヤが主アース部分に巻かれた第1巻回列のワイヤと逆方向に巻かれていることを特徴とする請求項２に記載の半導体用ボンディングワイヤの巻線形態。
【手続補正２】
【補正対象書類名】明細書
【補正対象項目名】０００３
【補正方法】変更
【補正の内容】
【０００３】
この卷回体は、使用時には、スプールをボンディング装置に装着した後、テープをはがして、巻線始端をアース部として引き出し、巻線終端は引き出してワイヤ繰りだし経路に導く。ワイヤの終端をスプールのフランジ等に止着した端末テープをはがさずに、端末テープ近傍のワイヤを直接切断し、切断したワイヤの先端側を再びフランジのアースに接続するというワイヤカット方式が行われることもある。
【手続補正３】
【補正対象書類名】明細書
【補正対象項目名】００１６
【補正方法】変更
【補正の内容】
【００１６】
図１において、スプールのフランジ１側の、本巻部分（図示略）との間のスプールの胴部２に、第１卷回列３を互いに密着整列して外側に向かって適当回数（４回以上が必要であり、好ましくは１０〜１５回がよい）卷回し、その終端から第１卷回列の巻始め側に戻って、第１卷回列の中間卷回とその一つ前の卷回との間に押し入れながら第２卷回列４を開始し、単数若しくは離散した複数の卷回を行い、末端をフランジ１（スプールの胴部２でも可能である）にテープ５で固着する。テープによる固着に替えて、従来技術で用いられているワイヤ引出し用長尺物（非接着性テープ）を利用するものとすることができる。
第１卷回列は、隣り合うワイヤが相互に隣接するように密着整列とし、第２卷回列は、第１卷回列を卷回するときの張力と同等またはそれよりも大きな張力を掛けて卷回すると、第１卷回列の隣接する卷回間に押し入れられ、高密着整列状態となる。この状態では、スプリングバックによってボンディングワイヤがほどける等のトラブルは確実に防止されるようになる。第２卷回列の卷回するときの張力は、限定的ではないが、第１卷回列を卷回するときの張力に比して、概ね同等以上を目処とすることが好ましい。
なお、便宜上、第１卷回列を太線（後述する図１及び図２の符号３）で、第２卷回列のワイヤを白抜き線（後述する図１及び図２の符号４）で表した。
【手続補正４】
【補正対象書類名】明細書
【補正対象項目名】００１７
【補正方法】変更
【補正の内容】
【００１７】
また、第二の巻線形態においては、アース部分を主アース部分に続いて副アース部分が設ける２部分構成とする。主アース部分に続いて副アース部分が区画して設けられているので、本巻部分から本巻ワイヤが引張られる影響は、副アース部分にまで及ばない。そして、副アース部分から副アースワイヤが引張られる影響は、主アースワイヤと副アースワイヤとの接触面積の増大による摩擦抵抗によって端末テープにまでは及ばない。よって、端末テープをはがしてワイヤをピンセットで挟まなくても、副アースワイヤ自身がほどかれる力よりも本巻ワイヤと副アースワイヤとの摩擦抵抗を大きくすることができる。この摩擦抵抗は、主アース部分の巻回回数が多くなればなるほど、大きくすることができる。
【手続補正５】
【補正対象書類名】明細書
【補正対象項目名】００１８
【補正方法】変更
【補正の内容】
【００１８】
図２において、スプールのフランジ１側のスプールの胴部２に、第１卷回列として、互いに密着整列して外側に向かって巻かれた主アース部分６および内側に向かって巻かれた副アース部分７とを卷回する。そして、副アース部７の終端を主アース部６に戻して、主アース部６のワイヤが適宜に卷回された間（中間卷回とその一つ前の卷回との間）に押し入れながら第２卷回列４を開始し、単数若しくは離散した複数の卷回を行い、末端をフランジ１（スプールの胴部２でも可）にテープ５で固着する。第２卷回列４を卷回するときの張力が第１卷回列を卷回するときの張力と同等またはそれよりも大きくすることは、第一の卷回形態と同様である。
これによって、スプリングバックによってボンディングワイヤがほどける等のトラブルはより確実に防止されるようになる。
なお、両卷回形態において、リード部分（アース部）を本巻部分の両側に設けることができることは、いうまでもない。
【手続補正６】
【補正対象書類名】明細書
【補正対象項目名】００２４
【補正方法】変更
【補正の内容】
【００２４】
１：フランジ
２：スプールの胴部
３：第１卷回列
４：第２卷回列
５：テープ
６：主アース部分
７：副アース部分
１１：（ワイヤの）巻線始端
１２：（ワイヤの）巻線終端
１３：整列巻部分
１４：クロス巻線形態部分
１５：テープ
１６：（スプールの）フランジ
１７：巻終り端部
１８：（ワイヤ引出し用の）長尺物
１９：フランジ
２０：スプール
２１：本巻き部分
２２：リード巻き部分
２３：テール巻部分
２４：端末テープ
２５：フランジ
２６：ボンディングワイヤ